(57)【要約】【課題】融雪電力での暖房を簡単に行う。【解決手段】温水循環回路１に融雪電力を電源とする電気温水ボイラ２と暖房用放熱器３とが設けられ、回路内を循環する温水を前記電気温水ボイラ２で加熱し前記暖房用放熱器３で放熱することを繰り返してこの放熱器３から発せられる熱で暖房を行う前記電気温水ボイラ２を用いた暖房システムの制御装置に於いて、融雪電力の給電停止時間帯における複数の給電停止時間の所定時間前から給電停止時間まで一時的に前記電気温水ボイラ２を高出力で運転するようにしたものである。【選択図】図２
2008032281.tif 000002
【特許請求の範囲】
【請求項１】
温水循環回路に融雪電力を電源とする電気温水ボイラと暖房用放熱器とが設けられ、回路内を循環する温水を前記電気温水ボイラで加熱し前記暖房用放熱器で放熱することを繰り返してこの放熱器から発せられる熱で暖房を行う前記電気温水ボイラを用いた暖房システムの制御装置に於いて、融雪電力の給電停止時間帯における、複数の給電停止時間の所定時間前から給電停止時間まで一時的に前記電気温水ボイラを高出力で運転することを特徴とする暖房システムの制御装置。
【発明の詳細な説明】
【技術分野】
【０００１】
この発明は電気温水ボイラを用いた暖房システムの制御装置に関するものである。
【背景技術】
【０００２】
従来よりこの種のものに於いて、北海道には２４時間のうち１６：００〜２１：００の５時間の電力利用停止時間帯に、ユーザーが指定する２時間を電力利用停止の時間とする融雪電力契約があり、この融雪電力を利用することで、電気温水ボイラを熱源にして経済的に温水暖房を行うことができるが、この電力利用停止時間帯が、夕方から夜にかけての時間帯であり、暖房を最も必要とする時間帯と重なることから、この電力利用停止の時間でも暖房を継続できるよう温水循環回路に蓄熱装置を設けて、電力利用停止時には蓄熱装置に蓄えた熱によって暖房を継続していた。（例えば、特許文献１参照）
【特許文献１】特開２００３−１０６５４２号公報
【発明の開示】
【発明が解決しようとする課題】
【０００３】
ところでこの従来のものでは、蓄熱装置を必要とするので、暖房機内に蓄熱装置を組み込んだ場合には暖房機が蓄熱装置のために大型になりコンパクト化の妨げになるものであった。また、暖房機外の温水循環回路に別に蓄熱装置を設けた場合であっても、その設置スペースが必要であると共に、蓄熱装置の分だけ暖房システムが高価になるものであった。
【課題を解決するための手段】
【０００４】
この発明はこの点に着目し、上記欠点を解決する為、特にその構成を、温水循環回路に融雪電力を電源とする電気温水ボイラと暖房用放熱器とが設けられ、回路内を循環する温水を前記電気温水ボイラで加熱し前記暖房用放熱器で放熱することを繰り返してこの放熱器から発せられる熱で暖房を行う前記電気温水ボイラを用いた暖房システムの制御装置に於いて、融雪電力の給電停止時間帯における、複数の給電停止時間の所定時間前から給電停止時間まで一時的に前記電気温水ボイラを高出力で運転するようにしたものである。
【発明の効果】
【０００５】
この発明によれば、蓄熱装置を必要としないコンパクトな暖房システムが提供できるものである。また、暖房システムに蓄熱装置が不要なのでその分費用も安価であり、蓄熱装置に蓄えられる余分な熱量も節約できるものである。
【発明を実施するための最良の形態】
【０００６】
以下にこの発明を実施するために好適な実施例を説明する。
【実施例１】
【０００７】
図１に示す第１実施形態の暖房システムは、融雪電力の使用を前提として構築されているもので、１は配管などを用いてつくられた温水循環回路であり、この温水循環回路１には、電気温水ボイラ２と、放熱器３とが直列に接続されている。この放熱部３としては、例えば、コンベクター用の熱交換器や、床暖房用の熱交換器などがあり室内の暖房を行うものである。
【０００８】
前記電気温水ボイラ２内の温水循環回路１には、貯湯タンク４と循環ポンプ５が接続され、前記貯湯タンク４内には循環水を加熱する電気ヒータ６を備えている。この電気ヒータ６は融雪電力で働き、循環ポンプ５は常時使用が可能な電力で駆動するようになされている。なお、この循環ポンプ５が電気温水ボイラ２のユニットの外に備えられていてもよいことはいうまでもない。
【０００９】
前記貯湯タンク２又は貯湯タンク２と循環ポンプ５の間の配管には、前記電気ヒータ６によって加熱された温水の温度を検知する温度センサ７が設けられ、温水往き配管８を通って前記放熱器３に送られる温水温度を検知するものである。９は前記放熱器３と貯湯タンク４を接続する温水戻り管で、放熱器３にて放熱し、冷たくなった温水を貯湯タンク４に戻すものである。
【００１０】
前記電気温水ボイラ２の表面に備えた操作部１０や室内に備えたリモコン装置１１には運転スイッチ１２やユーザが好みの室温設定を行う室温設定スイッチ１３が設けられ、室内を設定温度に保つように、前記温度センサ７の検出値を元に、前記循環ポンプ５や電気ヒータ６の運転制御を行う制御部１４を設けている。
【００１１】
上記のシステムでは、融雪電力を用いて電気温水ボイラー２の電気ヒータ６をオンにする共に、循環ポンプ５の電源もオンにすると、それらの駆動により、温水循環回路１の温水が循環し、放熱器３での放熱によって暖房が行われる。
【００１２】
図２によって、融雪時間帯のヒータ制御を説明すれば、北海道での融雪電力契約は、１日２４時間のうち１６：００〜２１：００の５時間の電力利用停止時間帯に、ユーザーが指定する２時間を電力利用停止の時間とするものであり、この融雪電力を利用することで、電気温水ボイラ２を熱源にして経済的に温水暖房を行うことができるが、この電力利用停止時間帯が、夕方から夜にかけての時間帯であり、暖房を最も必要とする時間帯と重なることから、この電力利用停止の時間でも暖房を継続できるようにすることが必要である。
【００１３】
融雪電力におけるユーザーが指定する２時間の電力利用停止時間は、１６：００〜２１：００の電力停止時間帯での停止時間が合計で２時間に達することが契約条件であり、電力停止時間帯の中で停止時間を複数に分割することが許されている。図２のグラフでは、１５分間の電力停止時間（ｔ分間）を８回設けることで、合計２時間の電力停止を実施するもので、停止時間中の室温低下をなるべく小さく抑えるために、停止時刻よりも所定時間（Ｘ分間、この実施例では約５分間）、前に電気ヒータ６の出力を停止時間まで一時的に高出力（この実施例では最大出力）にして予め温水循環回路１内の温水温度を上昇させる事で１５分間の電力停止時間に室温が極端に低下する事を防止するものである。
【００１４】
電力停止時間帯以外の通常運転時間ではリモコン装置１１に設定された室温を維持するように、電気ヒータ６の電源の電圧等を制御部１４にて制御して、温度センサ７にて検知する温水温度を調整することで安定した室温を維持することができるものである。
【００１５】
尚、この実施例では、電力停止時間（ｔ分間）を１５分間で８回設けたが、１０分間で１２回設けても良いものであり、又、所定時間（Ｘ分間）を約５分間としたが、放熱器３の負荷及び電力停止時間ｔによって変化するものである。
【００１６】
このように、この発明によれば、蓄熱装置を必要としないコンパクトな暖房システムが提供できるものである。
また、暖房システムに蓄熱装置が不要なのでその分費用も安価であり、システムの施工も簡単に行うことができるものである。
また、蓄熱装置に蓄えられる余分な熱量も節約できるものである。
【図面の簡単な説明】
【００１７】
【図１】この発明一実施例の概略構成図。
【図２】同要部のシーケンス図。
【符号の説明】
【００１８】
１  温水循環回路
２  電気温水ボイラ
３  暖房用放熱器
４  貯湯タンク
５  循環ポンプ
６  電気ヒータ
１４  制御部
【図１】
2008032281.tif 000003
【図２】
2008032281.tif 000004